(57)【要約】【課題】一度認識した記録媒体のニアエンドを認識し続けることが可能なプリンタ、記録媒体および販売データ処理装置を提供する。【解決手段】実施形態のプリンタは、帯状のマークが終端部から連続的に所定の長さに形成された長尺の記録媒体を搬送する搬送部と、前記搬送部が前記記録媒体を印字部に向けて搬送する前記搬送路上において前記記録媒体の前記マークの有無を検出するマーク検出部と、前記マーク検出部による前記マーク有りの検出に基づいて、当該記録媒体がニアエンドであることを認識するニアエンド認識手段と、を備える。【選択図】図８
2020138550.tif 000002
【特許請求の範囲】
【請求項１】
終端部から連続的に搬送方向に生じるずれよりも長い所定の長さの帯状のマークが形成された長尺の記録媒体を搬送する搬送部と、
前記搬送部が前記記録媒体を印字部に向けて搬送する前記搬送路上において前記記録媒体の前記マークの有無を検出するマーク検出部と、
前記マーク検出部による前記マーク有りの検出に基づいて、当該記録媒体が前記終端部に近づいていることを認識するニアエンド認識手段と、
を備えたプリンタ。
【請求項２】
前記ニアエンド認識手段は、前記記録媒体が前記終端部に近づいていることを認識したら、次に前記マーク検出部が前記記録媒体のマーク無しを検出するまで前記前記終端部に近づいていることの認識状態を維持する、
請求項１に記載のプリンタ。
【請求項３】
前記マーク検出部はさらに前記記録媒体の有無を検出する、
請求項１または２に記載のプリンタ。
【請求項４】
請求項１乃至３のいずれかに記載のプリンタに供給される記録媒体であって、終端部から連続的に搬送方向に生じるずれよりも長い所定の長さの帯状のマークが形成された長尺の記録媒体。
【請求項５】
販売される販売対象の販売対象情報に基づいて当該販売対象を売上登録処理する売上登録手段と、
前記売上登録処理された販売対象の販売対象情報を請求項４に記載の記録媒体に印字する請求項１乃至３のいずれかに記載のプリンタと、
前記プリンタが前記記録媒体が終端部に近づいていることを認識したことを報知する報知手段と、
を備えた販売データ処理装置。
【発明の詳細な説明】
【技術分野】
【０００１】
本発明の実施形態は、プリンタ、記録媒体および販売データ処理装置に関する。
【背景技術】
【０００２】
従来、ＰＯＳ（Point  of  Sales）等に搭載または接続されているプリンタが存在する。これらのプリンタは、長尺状のレシート用紙を搬送しながら、店舗で販売した商品の商品情報や決済情報を印字する。このようなプリンタは、レシート用紙の終端部付近に印刷されたニアエンドマークを検出すると、レシート用紙がニアエンドであることを認識することが可能となっている。
【０００３】
しかしながら従来のプリンタは、レシート用紙に所定間隔で複数箇所に印刷されたニアエンドマークを検出する。そのため、例えば、ニアエンドマークを検出後にプリンタのカバーを開放した場合にレシート用紙が搬送方向にずれた場合は、従来のプリンタは、その後カバーを閉止した際に、再度ニアエンドマークを検出しないことがある。そのため、従来のプリンタは、カバーの開閉に伴い、一度認識したレシート用紙のニアエンドを再度認識しなくなる恐れがある。
【発明の概要】
【発明が解決しようとする課題】
【０００４】
本発明が解決しようとする課題は、一度認識した記録媒体のニアエンドを認識し続けることが可能なプリンタ、記録媒体および販売データ処理装置を提供することである。
【課題を解決するための手段】
【０００５】
実施形態のプリンタは、終端部から連続的に搬送方向に生じるずれよりも長い所定の長さの帯状のマークが形成された長尺の記録媒体を搬送する搬送部と、前記搬送部が前記記録媒体を印字部に向けて搬送する前記搬送路上において前記記録媒体の前記マークの有無を検出するマーク検出部と、前記マーク検出部による前記マーク有りの検出に基づいて、当該記録媒体が前記終端部に近づいていることを認識するニアエンド認識手段と、を備える。
【図面の簡単な説明】
【０００６】
【図１】図１は、実施形態に係るシステムを示す模式図である。
【図２】図２は、セルフＰＯＳ端末の外観を示す斜視図である。
【図３】図３は、プリンタのカバーを開放した状態を示す斜視図である。
【図４】図４は、レシート用紙の終端部を裏面から見た図である。
【図５】図５は、セルフＰＯＳ端末のハードウェア構成を示すブロック図である。
【図６】図６は、プリンタのハードウェア構成を示すブロック図である。
【図７】図７は、プリンタの機能構成を示す機能ブロック図である。
【図８】図８は、プリンタにおける制御処理の流れを示すフローチャートである。
【図９】図９は、セルフＰＯＳ端末の機能構成を示す機能ブロック図である。
【図１０】図１０は、制御処理の流れを示すフローチャートである。
【図１１】図１１は、別のレシート用紙の終端部を裏面から見た図である。
【発明を実施するための形態】
【０００７】
以下、図１〜図１１の添付図面を参照して、実施形態に係るプリンタ、記録媒体および販売データ処理装置について詳細に説明する。実施形態では、顧客自身が売上登録操作および決済操作を実行するセルフＰＯＳ（Point  of  Sales）端末を販売データ処理装置として説明する。また、実施形態では、プリンタは、セルフＰＯＳ端末に組み込まれた装置として説明する。また、実施形態では、商品を販売対象の一例として説明する。なお、以下に説明する実施形態によりこの発明が限定されるものではない。
【０００８】
図１は、実施形態に係るセルフＰＯＳ端末を含むシステムを示す模式図である。図１に示すように、システムは、複数台のセルフＰＯＳ端末１とアテンダントＰＣ（Personal  Computer）２とを含む構成である。各セルフＰＯＳ端末１とアテンダントＰＣ２とは、例えばＬＡＮ（Local  Area  Network）回線等の通信回線ＮＴで電気的に接続されている。
【０００９】
セルフＰＯＳ端末１は、購入する商品を特定する商品コードを読み取らせる登録部と、読み取らせた商品コードに対応した商品情報に基づいて決済操作を行う決済部とを備えている。登録部における売上登録操作と決済部における決済操作は、いずれも顧客自身が行う。セルフＰＯＳ端末１は、顧客が行った売上登録操作に基づいて売上登録処理を実行する。また、セルフＰＯＳ端末１は、顧客が行った決済操作に基づいて決済処理を実行する。なお、セルフＰＯＳ端末１の詳細な構成は図２で説明する。
ここで、売上登録処理とは、入力された商品コードに基づいて当該商品の商品名や価格等の商品情報を表示し記憶する処理をいう。また、決済処理とは、売上登録処理した商品情報に基づいて、顧客との取引に係る合計金額や釣銭額を表示する処理をいう。
【００１０】
各セルフＰＯＳ端末１の近傍には、顧客が売上登録操作と決済操作をする様子を監視するカメラ（図示せず）が備えられている。アテンダントＰＣ２は、カメラが撮像した各セルフＰＯＳ端末１における顧客の売上登録操作と決済操作の映像を映し出す。店舗の店員であるアテンダントは、アテンダントＰＣ２に映し出された映像を見て、顧客の売上登録操作と決済操作を監視して、例えば顧客による不正をチェックする。また、アテンダントＰＣ２は、セルフＰＯＳ端末１が内蔵するプリンタの、レシート用紙Ｒがニアエンドであること（すなわち、レシート用紙Ｒが終端部に近づいていること）、用紙無し、カバー開放等の状態を表示する。表示を見たアテンダントは該当するセルフＰＯＳ端末１において、レシート用紙の補給等の操作を行う。
【００１１】
図２は、セルフＰＯＳ端末１の外観を示す斜視図である。図２に示すように、セルフＰＯＳ端末１は、第１筐体４１と第２筐体４２とを備えている。第１筐体４１は、内部に硬貨と紙幣の釣銭機２７（図５を参照）や制御装置を収納している。釣銭機２７は、顧客から預かった硬貨や紙幣を金種別に収納する。また釣銭機２７は、顧客に対して釣銭を払い出す。
【００１２】
第１筐体４１は、硬貨を入金する入金部２７１と硬貨の釣銭を払い出す排出部２７３と払い出された硬貨を受ける受皿２７２を備えている。また、第１筐体４１は、紙幣の入金部２７４と紙幣の釣銭を払い出す出金部２７５を備える。
また、第１筐体４１は、側面左右に載置台２５と載置台２６を備えている。載置台２５は第１計量部２５１を有している。載置台２６は第２計量部２６１を有している。
【００１３】
載置台２５は、購入するための商品が入れられたカゴを載置する台である。第１計量部２５１は、載置台２５に載置されたカゴとカゴ内の商品の合計重量を計量する。載置台２６は、載置台２５から取り出した商品を投入する袋をセットする台である。第２計量部２６１は、載置台２６にセットされた袋と袋内の商品の合計重量を計量する。
また、載置台２６は、載置台２６の上面から上方に延出する２本の支柱４３と支柱４３の上部に形成された一時置台４４と２本の延出棒４５を備える。延出棒４５は、読取部２３（図５を参照）で商品コードを読み取らせた商品を入れる袋（図示せず）をセットする棒である。袋は延出棒４５に袋の取っ手を引っ掛けられた状態で開口し、商品を投入し易くする。また、一時置台４４は、読取部２３（図５を参照）で商品コードを読み取らせた商品のうち、壊れやすい商品（豆腐や卵）を一時的に載置する台である。一時置台４４に載置された商品は最後に袋に入れる。
【００１４】
第２筐体４２は、第１筐体４１の上部に設けられている。第２筐体４２は、読取部２３とプリンタ２４とカード部２８（いずれも図５を参照）を収納する。読取部２３は、商品に付されたバーコードや二次元コード等のシンボルを例えば光学的に読み取る。プリンタ２４は、セルフＰＯＳ端末１が売上登録処理した商品の商品情報や決済情報をレシート用紙に印字してレシートを発行する。カード部２８は、例えば挿入されたクレジットカードから顧客特定情報を読み出す。クレジットカードで決済する場合は、セルフＰＯＳ端末１は、カード部２８によって読み出された顧客特定情報に基づいて決済処理を実行する。
また、第２筐体４２は、読取部２３の読取窓４２１２とプリンタ２４から発行されるレシートを排出する排出部５５とカード部２８に対してカードを挿入する挿入部４２１１を備えている。
【００１５】
また、第２筐体４２は、上部に、表示部２２を備えている。表示部２２は、顧客による売上登録操作に伴う商品の商品情報を表示する。また、表示部２２は、顧客による決済操作に伴う決済情報を表示する。
表示部２２は、表面にタッチパネル２１を備えている。タッチパネル２１はキーの役目を果たす。表示部２２上に表示された各種キーに対応する位置のタッチパネル２１を操作することで、当該キーが操作される。
【００１６】
また、第２筐体４２は、後方に、上部に延出する円柱状のポール４６を備えている。ポール４６の上方先端部には、発光部２９を備えている。発光部２９は、顧客がアテンダントを呼びだす操作をした場合に発光する。また、発光部２９は、プリンタ２４のレシート用紙がニアエンドになったときに発光して、アテンダントに報知する。
【００１７】
顧客は、載置台２５に載置されたカゴから商品を取出して、読取窓４２１２の前を通過させて、当該商品に付されたコードを読取部２３に読み取らせる。そして顧客は、当該商品を載置台２６に載置された袋に投入する。セルフＰＯＳ端末１は、第１計量部２５１による商品の取り出し前後の重量変化と、第２計量部２６１による商品の投入の前後の重量変化とが一致しているか否かで、顧客が正しく操作をしているかを判断する。重量変化が一致している場合は、セルフＰＯＳ端末１は、売上登録処理を実行する。
【００１８】
次に、プリンタ２４について説明する。図３は、プリンタ２４のカバー５６を本体５８から開放した状態を示す斜視図である。図３に示すように、プリンタ２４は、本体５８とカバー５６とを備える。本体５８は、ロール状の巻回された長尺状のレシート用紙Ｒ（記録媒体）を収納する収納部５１を備える。また、本体５８は、搬送路５２を備える。また、本体５８は、搬送路５２に臨ませてプラテン５３を備える。搬送路５２は、両サイドにガイド（図示せず）を備えている。このガイドを備えた搬送路５２は、収納部５１から引き出されたレシート用紙Ｒをプラテン５３に向けてガイドする。プラテン５３は、プラテンモータ３７（図６を参照）によって回転してレシート用紙Ｒを搬送する。また、本体５８は、プラテン５３のレシート用紙Ｒの搬送方向下流側に、カッター５４を備える。カッター５４は、後述するカッター５９と共働して、レシート用紙Ｒを切断する。また、本体５８は、切断されたレシート用紙Ｒを排出する排出部５５を備える。
【００１９】
ここで、レシート用紙Ｒについて説明する。図４は、レシート用紙Ｒの終端部Ｒ２付近を裏面から見た図である。終端部Ｒ２は、ロール状のレシート用紙Ｒの巻始めの端部をいう。レシート用紙Ｒは表面裏面とも白色である。表面側は熱を印加すると黒色に発色する。裏面Ｒ１には、マークである黒色のブラックマークＲ３が印刷（形成）されている。ブラックマークＲ３は、レシート用紙Ｒの終端部Ｒ２から、レシート用紙Ｒの長尺方向に向けて所定の長さ（１ｍ〜２ｍ程度）連続して印刷されている。この所定の長さは、カバー５６を開放したときに生じる、レシート用紙Ｒが搬送方向にずれる長さよりも長い。
【００２０】
図３の説明に戻る。また、本体５８は、搬送路５２に臨ませて、マーク検出部であるニアエンドセンサ４０を備える。ニアエンドセンサ４０は、搬送路５２を搬送するレシート用紙Ｒの、ブラックマークＲ３の印刷位置に対向した位置に設けられる。ニアエンドセンサ４０は、発光部と受光部（いずれも図示せず）を備えた反射型のセンサである。ニアエンドセンサ４０は、受光部が受光した光の量に応じた電圧を出力する。ニアエンドセンサ４０は、搬送路５２上に充分な長さのレシート用紙Ｒがある場合、搬送路５２上のレシート用紙Ｒの白地の位置で反射した光を受光部で受光する。そしてニアエンドセンサ４０は、受光部で受光した光の量に応じた電圧を出力する。この場合、ニアエンドセンサ４０は、約５Ｖの電圧を出力する。このようにして、ニアエンドセンサ４０は、搬送路５２にレシート用紙Ｒが有ることを検出する。
【００２１】
また、ニアエンドセンサ４０は、搬送路５２上にレシート用紙Ｒが無い場合、発光部で発光したほとんどの光を受光部で受光しない。この場合ニアエンドセンサ４０は、約０Ｖの電圧を出力する。このようにして、ニアエンドセンサ４０は、搬送路５２にレシート用紙Ｒが無いことを検出する。
また、ニアエンドセンサ４０は、搬送路５２上にブラックマークＲ３が印刷されたレシート用紙Ｒがある場合、搬送路５２を搬送するレシート用紙ＲのブラックマークＲ３で反射した光を受光部で受光する。ブラックマークＲ３で反射して受光部で受光する光の量は、白地の位置で反射した光の量の半分程度である。そのため、ニアエンドセンサ４０は、約２.５Ｖの電圧を出力する。このようにして、ニアエンドセンサ４０は、搬送路５２を搬送するレシート用紙Ｒに印刷されたブラックマークＲ３を検出する。
【００２２】
カバー５６は、ヒンジ５７を介して本体５８に回動自在に結合されている。カバー５６を本体５８に係止するロック（図示せず）を外すと、カバー５６は、ヒンジ５７を中心として上方に回動して、本体５８から開放する。また、開放したカバー５６を下方に回動してロックをすると、カバー５６は本体５８に対して閉止する。カバー５６は、印字部であるサーマルヘッド３８とカッター５９を備える。カバー５６を本体５８に閉止した状態で、サーマルヘッド３８とプラテン５３とが当接する。また、カバー５６を本体５８に閉止した状態で、カッター５４とカッター５９とが当接する。レシート用紙Ｒはサーマルヘッド３８とプラテン５３とで挟持される。なお、カバー５６は、新しいレシート用紙Ｒをプリンタ２４に装着する場合や、本体５８で紙ジャムが発生した場合等に開放する。カバー５６を開放すると、レシート用紙Ｒは、レシート用紙Ｒ自身についた巻くせ等の影響で、搬送方向に少しずれる。
【００２３】
プリンタ２４は、サーマルヘッド３８とプラテン５３とで挟持したレシート用紙Ｒをプラテン５３を回転させて搬送し、サーマルヘッド３８を用いて商品情報や決済情報を印字する。また、プリンタ２４は、カッターモータ３９（図６を参照）によってカッター５４とカッター５９とを駆動させて、印字したレシート用紙Ｒを切断する。
【００２４】
ここからは、セルフＰＯＳ端末１とプリンタ２４のハードウェア構成について説明する。図５は、セルフＰＯＳ端末１のハードウェア構成を示すブロック図である。図５において、セルフＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は、制御主体となる。ＲＯＭ１２は、各種プログラムを記憶する。ＲＡＭ１３は、各種データを展開する。メモリ部１４は、各種プログラムを記憶する。ＣＰＵ１１、ＲＯＭ１２、ＲＡＭ１３、メモリ部１４は、互いにデータバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する制御処理を実行する。
【００２５】
メモリ部１４は、電源を切っても記憶情報が保持されるＨＤＤ（Hard  Disc  Drive）やフラッシュメモリ等の不揮発性メモリで構成され、制御プログラムを記憶する制御プログラム部１４１を備えている。
【００２６】
また、制御部１００は、データバス１５およびコントローラ１６を介して、タッチパネル２１、表示部２２、読取部２３、プリンタ２４、第１計量部２５１、第２計量部２６１、釣銭機２７、カード部２８、発光部２９と接続している。
【００２７】
タッチパネル２１は、表示部２２のキーの表示に対応したスタートキー２１１、終了キー２１２等のキーを備える。スタートキー２１１は、商品の売上登録操作を開始する際に顧客が操作する。終了キー２１２は、商品の売上登録操作を終了する際に顧客が操作する。終了キー２１２が操作されると、セルフＰＯＳ端末１は決済処理を開始する。
【００２８】
また、制御部１００は、データバス１５を介して通信部４８と接続する。通信部４８は、通信回線ＮＴを介して他のセルフＰＯＳ端末１やアテンダントＰＣ２と接続する。
【００２９】
図示しないアテンダントＰＣ２のハードウェア構成は、ＣＰＵ、ＲＯＭ、ＲＡＭ、メモリ部、表示部等を備えたコンピュータである。ＣＰＵとＲＯＭとＲＡＭが、制御部を構成する。すなわち、制御部は、制御プログラムに従って後述する制御処理を実行する。
【００３０】
図６は、プリンタ２４のハードウェア構成を示すブロック図である。図６に示すように、プリンタ２４は、ＣＰＵ３１、ＲＯＭ３２、ＲＡＭ３３、メモリ部３４等を備えている。ＣＰＵ３１は、制御主体となる。ＲＯＭ３２は、各種プログラムを記憶する。ＲＡＭ３３は、各種データを展開する。メモリ部３４は、各種プログラムを記憶する。ＣＰＵ３１、ＲＯＭ３２、ＲＡＭ３３、メモリ部３４は、互いにデータバス３５を介して接続されている。ＣＰＵ３１とＲＯＭ３２とＲＡＭ３３が、制御部３００を構成する。すなわち、制御部３００は、ＣＰＵ３１がＲＯＭ３２やメモリ部３４に記憶されＲＡＭ３３に展開された制御プログラムに従って動作することによって、後述する制御処理を実行する。
【００３１】
メモリ部３４は、電源を切っても記憶情報が保持されるＨＤＤやフラッシュメモリ等の不揮発性メモリで構成され、制御プログラムを記憶する制御プログラム部３４１を備えている。
【００３２】
また、制御部３００は、データバス３５およびコントローラ３６を介して、プラテンモータ３７、サーマルヘッド３８、カッターモータ３９、ニアエンドセンサ４０、カバー開放センサ４７と接続している。カバー開放センサ４７は、カバー５６が本体５８から開放されたこと、およびカバー５６が本体５８に閉止したことを検知するセンサである。
また、制御部３００は、データバス３５を介して通信部４９と接続する。通信部４９は、通信ケーブルＮＫを介してコントローラ１６と接続される。
【００３３】
ここからは、図７〜図１０を用いて、プリンタ２４およびセルフＰＯＳ端末１の制御について詳細に説明する。図７は、プリンタ２４の機能構成を示す機能ブロック図である。制御部３００は、ＲＯＭ３２やメモリ部３４の制御プログラム部３４１に記憶された制御プログラムに従うことで、ニアエンド認識手段３０１として機能する。
【００３４】
ニアエンド認識手段３０１は、ニアエンドセンサ４０によるブラックマークＲ３有りの検出に基づいて、当該レシート用紙Ｒニアエンドであること認識する機能を有する。具体的には、ニアエンド認識手段３０１は、ニアエンドセンサ４０の出力から、ニアエンドセンサ４０がブラックマークＲ３有りを検出したことに基づいて、レシート用紙Ｒがニアエンドであることを認識する。
【００３５】
図８は、プリンタ２４における制御処理の流れを示すフローチャートである。制御部３００は、この時点でレシート用紙Ｒ有りを認識している。図８に示すように、制御部３００は、セルフＰＯＳ端末１から商品情報および決済情報等の印字情報を入力したか否かを判断する（Ｓ１１）。印字情報は、セルフＰＯＳ端末１のコントローラ１６から入力する。印字情報を入力したと判断した場合には（Ｓ１１のＹｅｓ）、制御部３００は、プラテン５３を回転させてレシート用紙Ｒを搬送する（Ｓ１２）。そして制御部３００は、サーマルヘッド３８を用いてレシート用紙Ｒの表面側に印字情報の印字処理を実行する（Ｓ１３）。印字処理が終了すると、制御部３００は、カッター５４とカッター５９を共働させて印字したレシート用紙Ｒを切断し、排出部５５から排出する（レシートを発行する）（Ｓ１４）。そして制御部３００は、Ｓ１１に戻る。
【００３６】
また、印字情報を入力していないと判断した場合には（Ｓ１１のＮｏ）、制御部３００は、ニアエンドセンサ４０からの出力が２．５Ｖを中心に一定範囲内（例えば、２Ｖ〜３Ｖ）にあるか否かを判断する（Ｓ２１）。搬送路において、ニアエンドセンサ４０の設置位置をブラックマークＲ３が通過したときのニアエンドセンサ４０の出力は２．５Ｖであることが望ましい。しかしながら、レシート用紙Ｒに印字されたブラックマークＲ３の印字ムラの影響で、ブラックマークＲ３が通過したときのニアエンドセンサ４０の出力は２．５Ｖを中心としてふらつくことがある。そのため、制御部３００は、Ｓ２１において、ニアエンドセンサ４０からの出力が２．５Ｖを中心に一定範囲内にあるか否かを判断する。ニアエンドセンサ４０からの出力が２．５Ｖを中心としが一定の範囲内である場合、制御部３００は、搬送路５１において、ニアエンドセンサ４０がブラックマークＲ３を検出したと判断する。ブラックマークＲ３を検出したと判断した場合には（Ｓ２１のＹｅｓ）、制御部３００は、用紙有りの認識を解除する（Ｓ２２）。次に制御部３００は、レシート用紙Ｒがニアエンドであることを認識する（Ｓ２３）。そして制御部３００は、セルフＰＯＳ端末１に対して、レシート用紙Ｒがニアエンドであることを示す情報を出力する（Ｓ２４）。
【００３７】
次に制御部３００は、カバー５６が開放したか否かを判断する（Ｓ２５）。カバー開放センサ４７がカバー５６の開放を検出している場合、制御部３００は、カバー５６が開放したと判断する。カバー５６が開放したと判断した場合には（Ｓ２５のＹｅｓ）、制御部３００は、セルフＰＯＳ端末１に対して、カバー開放を示す情報を出力する（Ｓ２６）。そして制御部３００は、Ｓ１１に戻る。一方、カバー５６は開放していないと判断した場合には（Ｓ２５のＮｏ）、制御部３００は、カバー５６が閉止したか否かを判断する（Ｓ２７）。カバー開放センサ４７がカバー５６の閉止を検出している場合、制御部３００は、カバー５６が閉止したと判断する。カバー５６が閉止していることを判断した場合には（Ｓ２７のＹｅｓ）、制御部３００は、セルフＰＯＳ端末１に対して、カバー閉止を示す情報を出力する（Ｓ２８）。そして制御部３００は、Ｓ１１に戻る。カバー５６を開放して、レシート用紙Ｒを交換することなくカバー５６を閉止したときに、レシート用紙Ｒが多少ずれたとしても、ニアエンドセンサ４０は、レシート用紙Ｒに連続して印字されたブラックマークＲ３を検出するため、制御部３００は、引き続きレシート用紙Ｒがニアエンドであることを認識する。
【００３８】
また、ニアエンドセンサ４０からの出力が２．５Ｖを中心に一定範囲内にないと判断した場合には（Ｓ２１のＮｏ）、制御部３００は、ニアエンドセンサ４０からの出力が０Ｖを中心とした一定範囲内（例えば０Ｖ〜０．５Ｖ）にあるか否かを判断する（Ｓ４１）。ニアエンドセンサ４０の出力が０Ｖ〜０．５Ｖの場合、ニアエンドセンサ４０はレシート用紙Ｒが無いことを検出している。ニアエンドセンサ４０からの出力が０Ｖを中心とした一定範囲内（例えば０Ｖ〜０．５Ｖ）にあると判断した場合には（Ｓ４１のＹｅｓ）、制御部３００は、レシート用紙Ｒがニアエンドであるとの認識を解除する（Ｓ４２）。そして制御部３００は、セルフＰＯＳ端末１に対し、ニアエンド解除の情報を出力する（Ｓ４３）。次に制御部３００は、搬送路５１にレシート用紙Ｒが無いことを認識する（Ｓ４４）。そして制御部３００は、セルフＰＯＳ端末１に対して、レシート用紙Ｒが無いことを示す情報を出力する（Ｓ４５）。
【００３９】
次に制御部３００は、カバー５６が開放したか否かを判断する（Ｓ４６）。カバー開放センサ４７がカバー５６の開放を検出している場合、制御部３００は、カバー５６が開放したと判断する。カバー５６が開放したと判断した場合には（Ｓ４６のＹｅｓ）、制御部３００は、セルフＰＯＳ端末１に対して、カバー開放を示す情報を出力する（Ｓ４７）。そして制御部３００は、Ｓ１１に戻る。一方、カバー５６は開放していないと判断した場合には（Ｓ４６のＮｏ）、制御部３００は、カバー５６が閉止したか否かを判断する（Ｓ４８）。カバー開放センサ４７がカバー５６の閉止を検出している場合、制御部３００は、カバー５６が閉止したと判断する。カバー５６が閉止していることを判断した場合には（Ｓ４８のＹｅｓ）、制御部３００は、セルフＰＯＳ端末１に対して、カバー５６閉止を示す情報を出力する（Ｓ４９）。
【００４０】
次に制御部３００は、ニアエンドセンサ４０からの出力が５Ｖを中心とした一定範囲内（例えば４．５Ｖ〜５．５Ｖ）にあるか否かを判断する（Ｓ５１）。ニアエンドセンサ４０の出力が４．５Ｖ〜５．５Ｖの場合、ニアエンドセンサ４０は、搬送路５１にレシート用紙Ｒが有ることを検出している。ニアエンドセンサ４０からの出力が５Ｖを中心とした一定範囲内にあると判断した場合には（Ｓ５１のＹｅｓ）、制御部３００は、レシート用紙Ｒ無しの認識を解除する（Ｓ５１）。そして制御部３００は、用紙有りを認識する（Ｓ５３）。そして制御部３００は、セルフＰＯＳ端末１に対して、用紙有りを示す情報を出力する（Ｓ５０）。この場合、用紙無しの状態から新たなレシート用紙Ｒが補給されたことになる。そして制御部３００は、Ｓ１１に戻る。なお、Ｓ４８において、カバー５６は閉止していないと判断した場合には（Ｓ４８のＮｏ）、制御部３００はＳ１１に戻る。また、Ｓ５１において、ニアエンドセンサ４０からの出力が５Ｖを中心とした一定範囲内にはないと判断した場合には（Ｓ５１のＮｏ）、制御部３００はＳ１１に戻る。
図９は、セルフＰＯＳ端末１の機能構成を示す機能ブロック図である。制御部１００は、ＲＯＭ１２やメモリ部１４の制御プログラム部１４１に記憶された制御プログラムに従うことで、報知手段１０１として機能する。
【００４１】
報知手段１０１は、プリンタ２４がレシート用紙Ｒのニアエンドを認識したことを報知する機能を有する。
【００４２】
図１０は、セルフＰＯＳ端末１の制御処理の流れを示すフローチャートである。まず制御部１００は、セルフＰＯＳ端末１が待機状態で、表示部２２に表示されているスタートキー２１１が操作されたか否かを判断する（Ｓ６１）。スタートキーは、セルフＰＯＳ端末１の操作を開始する際に顧客が操作する。操作されるまで待機し（Ｓ６１のＮｏ）、操作されたと判断した場合には（Ｓ６１のＹｅｓ）、次に制御部１００は、顧客の売上登録操作により読取部２３から商品を特定する商品コードを取得したか否かを判断する（Ｓ６２）。取得したと判断した場合には（Ｓ６２のＹｅｓ）、制御部１００は、取得した商品コードに対応した商品情報を商品マスタ（図示せず）から読み出して、商品情報部１３１に記憶する売上登録処理を実行する（Ｓ６３）。そして制御部１００は、Ｓ６２に戻る。
【００４３】
また、商品コードは取得していないと判断した場合には（Ｓ６２のＮｏ）、制御部１００は、売上登録処理を終了する終了キー２１２が操作されたか否かを判断する（Ｓ６４）。終了キーは、セルフＰＯＳ端末１での売上登録操作を終了する際に顧客が操作する。操作されたと判断した場合には（Ｓ６４のＹｅｓ）、制御部１００は、商品情報部１３１に記憶された商品情報に基づいて決済処理を実行する（Ｓ６５）。そして制御部１００は、商品情報および決済情報に基づく印字情報を、プリンタ２４に出力する（Ｓ６６）。そして制御部１００は、Ｓ６１に戻る。
【００４４】
また、終了キー２１２は操作されていないと判断した場合には（Ｓ６４のＮｏ）、制御部１００は、プリンタ２４から、ニアエンドを示す情報を入力したか否かを判断する（Ｓ７１）。ニアエンドを示す情報を入力したと判断した場合には（Ｓ７１のＹｅｓ）、制御部１００は、表示部２２に、プリンタ２４がニアエンドであることを示すメッセージを表示する（Ｓ７２）。そして制御部１００は、プリンタ２４がニアエンドであることを示す信号を出力する（Ｓ７３）。具体的には、制御部１００は、発光部２９を赤色で点灯、または点滅させる。また、制御部１００は、ニアエンドであることを示す情報を、アテンダントＰＣ２に送信する。この情報を受信したアテンダントＰＣ２は、当該プリンタ２４のレシート用紙Ｒがニアエンドであることを示すメッセージを表示部に表示する。そして制御部１００は、Ｓ６１に戻る。
また、ニアエンドを示す情報は入力していないと判断した場合には（Ｓ７１のＮｏ）、制御部１００は、プリンタ２４から、ニアエンド解除を示す情報を入力したか否かを判断する（Ｓ７４）。ニアエンド解除を示す情報を入力したと判断した場合には（Ｓ７４のＹｅｓ）、制御部１００は、表示部２２に表示していた、プリンタ２４がニアエンドであることを示すメッセージの表示を消去する（Ｓ７５）。そして制御部１００は、発光部２９を滅灯する。そして制御部１００は、プリンタ２４がニアエンド解除であることを示す情報をアテンダントＰＣ２に送信する（Ｓ７６）。この情報を受信したアテンダントＰＣ２は、当該プリンタ２４のレシート用紙Ｒがニアエンドであることを示すメッセージの表示を消去する。そして制御部１００は、Ｓ６１に戻る。
【００４５】
また、ニアエンド解除を示す情報は入力していないと判断した場合には（Ｓ７４のＮｏ）、制御部１００は、プリンタ２４から、用紙無しを示す情報を入力したか否かを判断する（Ｓ８１）。用紙無しを示す情報を入力したと判断した場合には（Ｓ８１のＹｅｓ）、制御部１００は、表示部２２に、プリンタ２４のレシート用紙Ｒが無いことを示すメッセージを表示する（Ｓ８２）。そして制御部１００は、プリンタ２４が用紙無しであることを示す信号を出力する（Ｓ８３）。具体的には、制御部１００は、発光部２９を赤色で点灯、または点滅させる。また、制御部１００は、用紙無しであることを示す情報を、アテンダントＰＣ２に送信する。この情報を受信したアテンダントＰＣ２は、当該プリンタ２４のレシート用紙Ｒが無いことを示すメッセージを表示部に表示する。そして制御部１００は、Ｓ６１に戻る。
また、用紙無しを示す情報は入力していないと判断した場合には（Ｓ８１のＮｏ）、制御部１００は、プリンタ２４から、用紙有りを示す情報を入力したか否かを判断する（Ｓ８４）。用紙有りを示す情報を入力したと判断した場合には（Ｓ８４のＹｅｓ）、制御部１００は、表示部２２に表示していた、プリンタ２４が用紙無しであることを示すメッセージの表示を消去する（Ｓ８５）。そして制御部１００は、発光部２９を滅灯する。そして制御部１００は、プリンタ２４が用紙有りであることを示す情報をアテンダントＰＣ２に送信する（Ｓ８６）。この情報を受信したアテンダントＰＣ２は、当該プリンタ２４のレシート用紙Ｒが無いことを示すメッセージの表示を消去する。そして制御部１００は、Ｓ６１に戻る。
【００４６】
また、用紙有りを示す情報は入力していないと判断した場合には（Ｓ８４のＮｏ）、制御部１００は、プリンタ２４から、カバー５６の開放を示す情報を入力したか否かを判断する（Ｓ９１）。カバー５６の開放を示す情報を入力したと判断した場合には（Ｓ９１のＹｅｓ）、制御部１００は、表示部２２に、プリンタ２４のカバー５６が開放していることを示すメッセージを表示する（Ｓ９２）。そして制御部１００は、プリンタ２４のカバー５６が開放していることを示す情報をアテンダントＰＣ２に出力する（Ｓ９３）。この情報を受信したアテンダントＰＣ２は、当該プリンタ２４のカバー５６が開放していることを示すメッセージを表示部に表示する。そして制御部１００は、Ｓ６１に戻る。
また、カバー５６の開放を示す情報は入力していないと判断した場合には（Ｓ９１のＮｏ）、制御部１００は、プリンタ２４のカバー５６が閉止したことを示す情報を入力したか否かを判断する（Ｓ９４）。プリンタ２４のカバー５６が閉止したことを示す情報を入力したと判断した場合には（Ｓ９４のＹｅｓ）、制御部１００は、表示部２２に表示していた、プリンタ２４のカバー５６が開放していることを示すメッセージの表示を消去する（Ｓ９５）。そして制御部１００は、プリンタ２４のカバー５６が閉止したことを示す情報をアテンダントＰＣ２に送信する（Ｓ９６）。この情報を受信したアテンダントＰＣ２は、当該プリンタ２４のカバー５６が開放したことを示すメッセージの表示を消去する。そして制御部１００は、Ｓ６１に戻る。なお、プリンタ２４のカバー５６が閉止したことを示す情報は入力していないと判断した場合には（Ｓ９４のＮｏ）、制御部１００はＳ６１に戻る。
【００４７】
このような、実施形態のプリンタ２４によれば、プリンタ２４の制御部３００は、レシート用紙Ｒの終端部Ｒ２から連続的に印刷された帯状のブラックマークＲ３を検出して、レシート用紙Ｒがニアエンドであると認識する。そのため、例えば、レシート用紙Ｒがニアエンドであると認識した後にカバー５６を開放したことにより、レシート用紙Ｒが搬送方向にずれたとしても、制御部３００は、カバー５６を閉止した状態で再度ブラックマークＲ３を検出して、レシート用紙Ｒがニアエンドであると認識することができる。そのため、制御部３００は、一度認識した記録媒体のニアエンドを認識し続けることができる。
【００４８】
また、実施形態のプリンタ２４では、一度レシート用紙Ｒがニアエンドであると認識したら、制御部３００は、新たなレシート用紙Ｒが補給されたことを認識するか、用紙無しを認識するまで、レシート用紙Ｒがニアエンドであるとの認識を維持する。そのため、例えば、ブラックマークＲ３の印刷ムラによって、ニアエンドセンサ４０の出力が２．５Ｖからある程度の範囲内（例えば１Ｖの範囲内）で変化しても、プリンタ２４は、レシート用紙Ｒがニアエンドであるとの認識を維持することができる。
【００４９】
また、実施形態のレシート用紙Ｒは、帯状のブラックマークＲ３がレシート用紙Ｒの終端部Ｒ２から連続的に所定の長さに形成されているため、例えばプリンタ２４のカバー５６を開閉しても、プリンタ２４は、継続的にレシート用紙Ｒのニアエンドを認識することができる。
【００５０】
また、実施形態のセルフＰＯＳ端末１は、内部に内蔵されたプリンタ２４の制御部３００が、レシート用紙Ｒの終端部Ｒ２から連続的に印刷された帯状のブラックマークＲ３を検出して、レシート用紙Ｒがニアエンドであると認識する。そのため、例えば、レシート用紙Ｒがニアエンドであると認識した後にカバー５６を開閉してレシート用紙Ｒが搬送方向にずれたとしても、制御部３００は、一度認識した記録媒体のニアエンドを認識し続ける。そのため、制御部１００は、継続してレシート用紙Ｒがニアエンドであることを報知することができる。
【００５１】
また、実施形態では、ニアエンドセンサ４０がレシート用紙Ｒのニアエンドおよびレシート用紙Ｒ無しを検出する。そのため、それぞ専用のセンサを設ける必要がない。
【００５２】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００５３】
例えば、実施形態では、プリンタ２４は、セルフＰＯＳ端末１に内蔵されたプリンタを用いたが、これに限らず、セルフＰＯＳ端末１と電気的に接続された外付けのプリンタであってもよい。
また、実施形態では、販売データ処理装置として、セルフＰＯＳ端末を用いた。しかしながら、これに限らず、販売データ処理装置は、売上登録操作を店員が行う登録装置と、決済操作を顧客自身で行う決済装置を備えたセミセルフ型の決済装置であってもよい。また、販売データ処理装置は、店員が売上登録操作と決済操作を行うＰＯＳ端末であってもよい。
また、実施形態のレシート用紙Ｒは、図４に示すように、裏面Ｒ１に一本のブラックマークＲ３を印刷した用紙を用いた。しかしながら、例えば、図１１に示すように、ブラックマークＲ３１とブラックマークＲ３２のように、平行な２本のブラックマークを印刷したレシート用紙Ｒを用いてもよい。
プリンタ２４の種類には、機種によってニアエンドセンサ４０の取り付け位置が異なる場合がある。図１１に示すレシート用紙Ｒは、ニアエンドセンサ４０の位置が異なる２種類のプリンタ２４のそれぞれのニアエンドセンサ４０の位置に対応したブラックマークを印刷している。そのため、一つのレシート用紙Ｒで、２種類のプリンタ２４に対応することができる。なお、ブラックマークＲ３は二本に限らず、何本印刷してもよい。
また、実施形態では、レシート用紙Ｒに黒色のブラックマークＲ３を印刷したが、これに限らず、赤外線や紫外線を発光するマークを印刷するようにしてもよい。この場合、赤外線センサや紫外線センサによってマークを検出する。
また、実施形態では、ロール状のレシート用紙を記録媒体として用いたが、これに限らず、記録媒体は、ファンフォールド紙やチケット紙やラベル紙等であってもよい。
また、実施形態では、商品を販売対象の一例として説明したが、これに限らず、販売対象は、例えばサービスのような形態であってもよい。
【符号の説明】
【００５４】
１          セルフＰＯＳ端末
２４        プリンタ
５１        搬送路
１００      制御部
１０１      報知手段
３００      制御部
３０１      ニアエンド認識手段
Ｒ          レシート用紙
Ｒ３        ブラックマーク
【先行技術文献】
【特許文献】
【００５５】
【特許文献１】特開２０１３−３１９４９号公報
【図１】
2020138550.tif 000003
【図２】
2020138550.tif 000004
【図３】
2020138550.tif 000005
【図４】
2020138550.tif 000006
【図５】
2020138550.tif 000007
【図６】
2020138550.tif 000008
【図７】
2020138550.tif 000009
【図８】
2020138550.tif 000010
【図９】
2020138550.tif 000011
【図１０】
2020138550.tif 000012
【図１１】
2020138550.tif 000013
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
終端部から長尺方向に帯状のマークが形成された長尺状の記録媒体を前記長尺方向に搬送する搬送部と、
前記搬送部が前記記録媒体を印字部に向けて搬送する搬送路上において前記記録媒体の前記マークの有無と前記記録媒体の有無を示す検出する１個のマーク検出センサと、
前記マーク検出センサによる前記マーク有りの検出に基づいて、当該記録媒体が前記終端部に近づいていることを認識するニアエンド認識手段と、
前記マーク検出センサによる前記記録媒体の有無の検出に基づいて、前記記録媒体の有無を認識する記録媒体有無認識手段と、
を備えたプリンタ。
【請求項２】
前記ニアエンド認識手段は、前記記録媒体が前記終端部に近づいていることを認識したら、次に前記マーク検出センサが前記記録媒体無しを検出するまで前記終端部に近づいていることの認識状態を維持する、
請求項１に記載のプリンタ。
【請求項３】
前記ニアエンド認識手段は、前記マーク検出センサが前記マーク有りを示す電圧を出力した場合に前記記録媒体が前記終端部に近づいていることを認識し、前記記録媒体有無認識手段は、前記マーク検出センサが前記記録媒体有りを示す電圧を出力した場合に前記記録媒体ありを認識し、前記マーク検出センサが前記記録媒体無しを示す電圧を出力した場合に前記記録媒体無しを認識する、
請求項１または２に記載のプリンタ。
【請求項４】
請求項１乃至３のいずれか一に記載のプリンタに供給される長尺状の記録媒体であって、終端部から長尺方向に帯状のマークが形成された記録媒体であって、前記マークの前記長尺方向の長さは前記記録媒体が前記長尺方向に生じるずれよりも長い所定の長さである記録媒体。
【請求項５】
販売される販売対象の販売対象情報に基づいて当該販売対象を売上登録処理する売上登録手段と、
前記売上登録処理された販売対象の販売対象情報を請求項４に記載の記録媒体に印字する請求項１乃至３のいずれか一に記載のプリンタと、
前記プリンタが前記記録媒体が終端部に近づいていることを認識したこと、および前記記録媒体の有無を報知する報知手段と、
を備えた販売データ処理装置。
【手続補正２】
【補正対象書類名】明細書
【補正対象項目名】０００５
【補正方法】変更
【補正の内容】
【０００５】
実施形態のプリンタは、終端部から長尺方向に帯状のマークが形成された長尺状の記録媒体を前記長尺方向に搬送する搬送部と、前記搬送部が前記記録媒体を印字部に向けて搬送する搬送路上において前記記録媒体の前記マークの有無と前記記録媒体の有無を示す検出する１個のマーク検出センサと、前記マーク検出センサによる前記マーク有りの検出に基づいて、当該記録媒体が前記終端部に近づいていることを認識するニアエンド認識手段と、前記マーク検出センサによる前記記録媒体の有無の検出に基づいて、前記記録媒体の有無を認識する記録媒体有無認識手段と、を備える。